(57)【特許請求の範囲】
【請求項１】
回転によりトナーをトナー収容器へ搬送する、回転軸方向に対して垂直な断面形状が非円形であり、回転軸方向に長尺な搬送部材と、
上記搬送部材に所定の当接圧で当接して上記搬送部材に付着したトナーを掻き落とす金属部材で構成された回転軸方向に長尺な板状の回収部材とを備えたトナー搬送装置において、
上記回収部材の先端部から離間した箇所に上記回収部材を貫通する貫通孔を有し、
上記回収部材の上記トナー収容器内のトナーから圧力を受ける側の面から上記貫通孔を覆う蓋部材を設け、
上記回収部材の短手方向をＸ方向、上記回収部材の長手方向をＹ方向としたとき、上記蓋部材のＸ方向一端から、少なくとも上記蓋部材における上記貫通孔と対向する領域のＸ方向他端まで、上記蓋部材のＹ方向の全域で上記回収部材に対して接離可能にしたことを特徴とするトナー搬送装置。
【請求項２】
請求項１のトナー搬送装置において、
上記蓋部材が、弾性体であることを特徴とするトナー搬送装置。
【請求項３】
請求項１または２のトナー搬送装置において、
上記蓋部材を、上記回収部材の上記トナー収容器内のトナーから圧力を受ける側の面の貫通孔と先端部との間の領域に固定したことを特徴とするトナー搬送装置。
【請求項４】
請求項１または２のトナー搬送装置において、
上記蓋部材は、上記蓋部材よりも薄く柔らかい材質のフィルム状の貼り付け部材にて上記回収部材に固定するものであって、
上記貼り付け部材は、該貼り付け部材の所定の箇所を支点にして上記蓋部材が上記回収部材に対して回動可能となるように、上記蓋部材を上記回収部材に固定することを特徴とするトナー搬送装置。
【請求項５】
請求項４のトナー搬送装置において、
上記貼り付け部材で、上記回収部材の先端部を覆ったことを特徴するトナー搬送装置。
【請求項６】
請求項４または５のトナー搬送装置において、
上記蓋部材が、所定量以上回動するのを規制する回動規制部材を設けたことを特徴とするトナー搬送装置。
【請求項７】
請求項１乃至６いずれかのトナー搬送装置において、
上記蓋部材が、上記蓋部材よりも柔らかい材質の弾性部材を介して回収部材に当接するよう構成したことを特徴とするトナー搬送装置。
【請求項８】
像担持体上の転写残トナーを掻き落とすクリーニング部材と、
クリーニング部材により掻き落とされたトナーを、廃トナー収容器へ搬送するトナー搬送手段とを備えたクリーニング装置において、
上記トナー搬送手段として、請求項１乃至７いずれかのトナー搬送装置を用いたことを特徴とするクリーニング装置。
【請求項９】
像担持体上に形成した画像を最終的に記録体に転移させる画像形成装置において、
上記像担持体上に付着した不要な付着物を除去するためのクリーニング手段として、請求項８のクリーニング装置を用いることを特徴とする画像形成装置。
【請求項１０】
像担持体上に形成した画像を最終的に記録体に転移させる画像形成装置の本体に着脱自在に構成され、
上記像担持体に付着した不要な付着物を除去するクリーニング手段と、像担持体とを一体に支持したプロセスカートリッジにおいて、
上記クリーニング手段として、請求項８に記載のクリーニング装置を用いることを特徴とするプロセスカートリッジ。
【発明の詳細な説明】
【技術分野】
【０００１】
本発明は、トナー搬送装置、クリーニング装置、画像形成装置およびプロセスカートリッジに関するものである。
【背景技術】
【０００２】
特許文献１や２には、クリーニングブレードにより感光体から掻き落とされたトナー（以下、廃トナーという）を、廃トナー収容部へ搬送するトナー搬送装置が記載されている。トナー搬送装置は、クリーニングブレードの下方に設けられ、クリーニングブレードにより掻き落とされた廃トナーを、廃トナー収容部へ向けて搬送する多角柱形状の搬送部材と、この搬送部材の外周面に当接し、搬送部材に付着した廃トナーを掻き落とす回収部材として回収ブレードとで構成されている。
【０００３】
搬送部材を回転させると、多角柱形状の搬送部材の外周面が、クリーニングブレードによって掻き落とされて、クリーニングブレード下方に溜まった廃トナーを捉え、廃トナーを搬送部材の回転方向へと搬送する。これにより、クリーニングブレードにより掻き落とされた廃トナーを、廃トナー収容部へと搬送することができる。そして、搬送部材に付着した廃トナーを回収ブレードで掻き落とすことで、廃トナーを廃トナー収容器に留める。
【０００４】
特許文献１や２に記載のトナー搬送装置においては、回収ブレードを、ポリエステルフイルムなどの弾性フィルムで形成し、回収ブレードを弾性変形させて、搬送部材に対して所定の当接圧で当接させている。これにより、断面が非円形であり、中心軸と距離が一定でない外周をもつ多角柱形状の搬送部材の外周面に追随して回収ブレードが変形し、搬送部材との当接を維持することができる。
【０００５】
回収ブレードを構成するポリエステルフイルムなどの弾性フィルムは、粘弾性体である高分子材料であるため、クリープ変形しやすい。このため、長期間高温環境にさらされると回収ブレードがクリープ変形し、所定の当接圧より弱い力で搬送部材に当接し回収機能が低下してしまうという課題があった。
【０００６】
特許文献３には、回収ブレードを金属部材で形成したトナー搬送装置が記載されている。金属材料は、ポリエステルフイルムなどの弾性フィルムに比べて、クリープ変形しにくい。よって、回収ブレードを金属部材で構成することで、長期間高温環境にさらされても、弾性フィルムにした場合に比べてクリープ変形を抑制でき、所定の当接圧を維持することができる。
【発明の概要】
【発明が解決しようとする課題】
【０００７】
ところが、回収ブレードを金属部材とした場合、搬送部材の外周面に追随できるように、回収ブレードをある程度弾性変形させて当接させると、回収ブレードの剛性が高いため、搬送部材への当接圧が所定の当接圧よりも高くなり、トルクアップや異音が発生するおそれがあった。そこで、板状の回収ブレードを貫通する貫通孔を設けて、回収ブレードの剛性を下げ、回収ブレードの搬送部材への当接圧を適正化し、さらに貫通孔から廃トナー収容部内の廃トナーが漏れ出さないように弾性フィルムなどで構成した蓋部材で貫通孔を覆ったトナー搬送装置を開発中である。
【０００８】
上記開発中の廃トナー搬送装置においては、回収ブレードの貫通孔を覆う蓋部材を回収ブレードに接着固定して、回収ブレードと一体で変形するように構成していたので、次の課題が発生した。すなわち、回収ブレードの貫通孔を覆う弾性フィルムの蓋部材は、上述したように長期間高温環境にさらされるとクリープ変形する。このとき、蓋部材のクリープ変形後の形状を維持しようとする力により蓋部材に貼り付いている回収ブレードが蓋部材の変形後の形状に倣って一緒に湾曲してしまう。その結果、回収ブレードの搬送部材に対する当接圧が低下し、回収機能が低下してしまうという課題が発生してしまう。
【０００９】
また、回収ブレードの貫通孔を覆う蓋部材を薄くし、蓋部材のクリープ変形後の形状を維持しようとする力を小さくすることで、回収ブレードが蓋部材の変形後の形状に倣うのを抑制して当接圧の低下を抑えることも考えられる。しかしながら、薄い蓋部材の場合は、次のような課題が発生する。すなわち、廃トナー収容器内の廃トナーが溜まっていき、回収ブレードの上にも廃トナーが溜まると、蓋部材が廃トナーから圧力を受ける。このとき、蓋部材に傷などがあった場合は、廃トナーの圧力により蓋部材が破れてしまい、蓋部材から廃トナーが漏れ出してしまうという課題が発生してしまう。
【００１０】
なお、上述の課題は、クリーニングブレードにより掻き落とされた廃トナーを廃トナー収容器へ搬送するトナー搬送装置に限らず、トナーを収容器へ搬送するトナー搬送装置であれば、同様に生じる課題である。
【００１１】
本発明は以上の課題に鑑みなされたものであり、その目的は、金属部材で構成された回収部材を所定の当接圧で搬送部材に当接させることができ、長期間高温環境にさらされても、回収部材の搬送部材に対する当接圧の低下を抑制することができ、かつ、トナー収容器からトナーが漏れ出すのを抑制することができるトナー搬送装置、クリーニング装置、画像形成装置およびプロセスカートリッジを提供することである。
【課題を解決するための手段】
【００１２】
上記目的を達成するために、請求項１の発明は、回転によりトナーをトナー収容器へ搬送する、回転軸方向に対して垂直な断面形状が非円形であり、回転軸方向に長尺な搬送部材と、上記搬送部材に所定の当接圧で当接して上記搬送部材に付着したトナーを掻き落とす金属部材で構成された回転軸方向に長尺な板状の回収部材とを備えたトナー搬送装置において、上記回収部材の先端部から離間した箇所に上記回収部材を貫通する貫通孔を有し、上記回収部材の上記トナー収容器内のトナーから圧力を受ける側の面から上記貫通孔を覆う蓋部材を設け、上記回収部材の短手方向をＸ方向、上記回収部材の長手方向をＹ方向としたとき、上記蓋部材のＸ方向一端から、少なくとも上記蓋部材における上記貫通孔と対向する領域のＸ方向他端まで、上記蓋部材のＹ方向の全域で上記回収部材に対して接離可能にしたことを特徴とするものである。
【発明の効果】
【００１３】
本発明によれば、回収部材に貫通孔を設けることで、金属部材で構成された回収部材の剛性を弱めることができる。これにより、搬送部材の外周面に追随できるように、回収ブレードをある程度弾性変形させて当接させたときの搬送部材への当接圧を所定の当接圧にすることができる。その結果、トルクアップや異音の発生を抑制することができる。
また、回収部材長手方向から見たとき、少なくとも、蓋部材の一端から貫通孔と対向する領域までを回収部材に対して接離可能にすることで、蓋部材の全体を回収部材に接着固定した構成とは異なり、蓋部材がクリープ変形しても、回収部材が蓋部材の変形後の形状に倣って一緒に変形しない。これにより、高温環境に長期間さらされても回収部材の搬送部材に対する当接圧の低下を抑制することができ、回収機能が低下することがない。また、蓋部材を薄くせずとも、回収部材の搬送部材に対する当接圧の低下を抑制することができる。よって、蓋部材の厚みを厚くすることができ、多少、蓋部材に傷があったとしてもトナー収容器内のトナーの圧力によって、蓋部材が破けることがない。これにより、トナー収容器からトナーが漏れ出すのを抑制することができる。
また、蓋部材がクリープ変形すると、回収部材の貫通孔と蓋部材との間に隙間ができるが、回収部材のトナー収容器内のトナーから圧力を受ける側の面に蓋部材を設けたので、以下の理由により、トナーが漏れ出すことはない。すなわち、上記トナー収容器内のトナーが、回収部材が配置された箇所にまで溜まると、収容器内のトナーは蓋部材に接触する。その結果、蓋部材は、収容器内のトナーから圧力を受ける。このとき、回収部材のトナー収容器内のトナーから圧力を受ける側の面に蓋部材を設けているので、蓋部材は、トナー収容器内のトナーからの圧力により回収部材側へ押され回収部材に密着する。これにより、トナー収容器内のトナーが、回収部材の貫通孔から漏れ出すのを抑制することができるのである。
【図面の簡単な説明】
【００１４】
【図１】本実施形態に係るプリンタの概略構成図。
【図２】クリーニング装置の概略構成図。
【図３】四角柱搬送部材が初期位置にあるときの搬送部材と回収ブレード先端部との接触位置と廃トナー収容量との関係について調べたグラフ。
【図４】廃トナー収容量を調べたトナー搬送装置の要部拡大構成図。
【図５】四角柱の搬送部材と回収ブレード先端部との接触状態を表した図。
【図６】四角柱の搬送部材と回収ブレード先端部との接触状態の変化を説明する図。
【図７】廃トナーを廃トナー収容器へ搬送する様子を説明する図。
【図８】回収ブレードの湾曲のクセ付きの状態と先端部の当接位置の変化を示す図。
【図９】回収ブレードに複数の貫通孔を設け、回収ブレードに蓋部材を密着固定して貫通孔を固定した構成を示す分解斜視図。
【図１０】本実施形態の回収ブレードの概略構成図。
【図１１】本実施形態の回収ブレードを用いたトナー搬送装置の動作を説明する図。
【図１２】変形例１の回収ブレードの概略構成図。
【図１３】変形例１の回収ブレードの搬送部材との当接状態を説明する図。
【図１４】変形例２の回収ブレードの概略構成図。
【図１５】変形例２の回収ブレードの別の構成例を示す概略構成図。
【図１６】変形例３の回収ブレードの概略構成図。
【図１７】変形例４の回収ブレードの概略構成図。
【発明を実施するための形態】
【００１５】
以下、本発明を電子写真方式の画像形成装置であるプリンタに適用した実施形態について説明する。図１は、本実施形態に係るプリンタの概略構成図である。図１に示すように、このプリンタは、像担持体としての感光体１を有している。感光体１は、円筒状をなし本体フレームに設置された図示しない駆動装置により図中矢印方向に回転駆動され、その表面の感光層が帯電ローラ９によって一様な高電位に帯電される。一様に帯電された感光層は潜像形成手段である不図示の露光装置からの画像情報に基づく光線（例えばレーザー光）１１により走査露光され、この走査露光により電位の減衰した低電位部と初期の高電位部とからなる静電潜像が感光層に形成される。感光体１上に形成された静電潜像の低電位部（又は高電位部）が感光体１と現像装置２の現像ローラ３との対向位置至ると、その表面にトナー薄層を担持した現像ローラ３からトナーが感光体１に移され、感光体１の表面に可転写画像としてのトナー像（可視像）が形成される。感光体１の回転が進むと、上記トナーは、不図示の給紙ユニットから搬送される記録紙１２上に転写部５によって転写される。転写終了後の記録紙１２は、不図示の定着装置によりトナー像が定着され、装置外へ排出される。なお、転写されずに感光体１上に残留した転写残トナーは、クリーニング装置６のクリーニングブレード７により感光体１から除去される。このクリーニングブレード７よりも感光体１の回転方向下流側には、図示しない除電装置が設けられている。この除電装置では、感光体１の表面の残留電位が除去される。除電装置における感光体１の回転方向下流側には帯電ローラ９が設けられており、感光体１は再び帯電ローラ９によって一様な高電位に帯電される。
【００１６】
クリーニングブレード７で除去した廃トナーは、中心軸から外周の距離が異なる搬送部材８の回転によってクリーニング部から廃トナー収容器１０内へと搬送され溜められていく。
【００１７】
本プリンタは、感光体１、帯電ローラ９、現像装置２、クリーニング装置６が、筐体に収納されており、装置本体に対して着脱可能に構成されたプロセスカートリッジとなっている。
【００１８】
図２は、クリーニング装置６の概略構成図である。
クリーニング装置６は、感光体１に当接するクリーニングブレード７と、廃トナー１５を収容するトナー収容器としての廃トナー収容器１０と、クリーニングブレード７により感光体１から除去された廃トナーを廃トナー収容器１０へと搬送するトナー搬送装置３０とを備えている。トナー搬送装置３０は、クリーニングブレード７の下方の廃トナー収容器１０の開口部に配置された断面形状非円形の搬送部材８を有している。なお、断面形状非円形の搬送部材８の形状としては、楕円や四角柱などの多角柱（５角、６角等）などの形状を意味しており、本実施形態では四角柱の形状の搬送部材８を用いた例について説明するが、他の形状でも同じである。
【００１９】
また、トナー搬送装置３０は、一方をクリーニング装置６内（廃トナー収容器１０の内壁面）に固定し他方を搬送部材８に当接させる回収部材としての回収ブレード１４を有している。回収ブレード１４は、搬送部材８の回転とともにその外周距離の変化に合わせて常に接触できるように弾性変形させて搬送部材８に当接させている。回収ブレード１４は、搬送部材８の回転方向に対してカウンター方向に先端部１４ａを当接させて、回収ブレードの先端部１４ａで搬送部材８に付着した廃トナーを掻き取る。また、搬送部材８の回転方向に対してカウンター方向に先端部１４ａを当接させることで、廃トナー収容器１０内に溜まった廃トナー１５を堰き止め、廃トナー１５を、クリーニングブレード７側に移動しないようにすることができる。廃トナー収容器内の廃トナーが、回収ブレード１４と接触する箇所まで溜まった場合、回収ブレード１４は、廃トナー収容器内の廃トナーから圧力を受ける。このとき、回収ブレードの先端部１４ａを、搬送部材８の回転方向に対してトレーリング方向に当接させた場合、廃トナー収容器内の廃トナーからの圧力は、先端部１４ａを搬送部材８から離間させる方向に働く。その結果、回収ブレード１４の搬送部材８との当接圧が低下して、搬送部材８の表面に付着したト廃ナーを良好に掻き取ることができなくなる。一方、カウンター方向に先端部１４ａを当接させた場合は、廃トナー収容器内の廃トナーからの圧力は、搬送部材８との当接圧を高める方向に働くので、当接圧の低下が生じることなく、経時にわたり良好な掻き取り性能を維持することができる。
【００２０】
搬送部材８が、図示方向に回転することで、感光体１から掻き落とした廃トナー１５を廃トナー収容器１０内に搬送する。そして、搬送部材８に付着した廃トナー１５は、回収ブレード１４により掻き取られ、廃トナー収容器１０に回収される。
【００２１】
図３は四角柱搬送部材８が初期位置にあるときの搬送部材８と回収ブレード先端部１４ａとの接触位置と廃トナー収容量との関係について調べてグラフであり、図４は、廃トナー収容量を調べたトナー搬送装置３０の要部拡大構成図である。
図４に示すように、一辺の長さが９ｍｍの四角柱の搬送部材８で実施し、搬送部材８が初期位置にあるときの搬送部材８と回収ブレード先端部１４ａとの接触位置は、搬送部材８の面の中央を"０"として、回転の下流側であるクリーニングブレード側を"＋"で表し、逆の回転上流側である収容容器奥側を"−"とした。また、廃トナーの収容量は、クリーニングブレード７により除去された廃トナーが、廃トナー収容器に回収されず、再び感光体１２に付着して、クリーニングブレード７をすり抜けて異常が発生することなく収容出来る量である。また、搬送部材８初期位置とは、回収ブレード１４の弾性変形量が最も少なくなる搬送部材８の位置である。
【００２２】
図３に示すように、四角柱の搬送部材８が初期位置にあるとき、搬送部材８の面の中央付近に回収ブレード先端部１４ａが接触するように構成することで、廃トナー収容量がもっとも多くなることがわかる。一方、"−"側、すなわち、搬送部材初期位置において、回転上流側である廃トナー収容器側に回収ブレード先端部１４ａが接触するよう構成した場合は、廃トナー収容量が低下していることがわかる。また、逆に、搬送部材８初期位置において、"＋"側、すなわち、回転下流側であるクリーニングブレード側に回収ブレード先端部１４ａが接触するよう構成した場合は、回収ブレード１４が搬送部材８の回転に巻き込まれて、動作不能になってしまった。このことから、回収ブレード先端部１４ａを、搬送部材８の面の中央付近（中央の位置に対して±０．５ｍｍ）に接触させるのが好ましいことがわかる。
【００２３】
図５は、四角柱の搬送部材８と回収ブレード先端部１４ａの接触状態を表した図である。（ａ）は、搬送部材８の面の中央付近に回収ブレード先端部１４ａを接触させたときの接触状態を表した図であり、（ｂ）は、搬送部材８の面の中央よりも回転上流側である廃トナー収容器側に回収ブレード先端部１４ａを接触させたときの接触状態を表した図である。
図５に示す四角柱の搬送部材８の外接円Ａに対してその内部にある領域の廃トナーが、搬送部材８により搬送される。図５（ａ）、（ｂ）に示すように、回収ブレード１４により掻き取られずに、搬送部材８に付着した付着廃トナー１８があると、搬送部材８により搬送される領域１７が狭くなるので廃トナーの搬送量が減少する。図５（ｂ）に示すように、廃トナー収容器側に回収ブレード先端部１４ａを接触させたときは、図５（ａ）に示すように、搬送部材８の面の中央付近に回収ブレード先端部１４ａを接触させたときよりも付着廃トナー１８が多くなる。
【００２４】
ここで、廃トナー収容器側に回収ブレード先端部１４ａを接触させたときの付着廃トナー１８が、搬送部材８の面の中央付近に回収ブレード先端部１４ａを接触させたときよりも多くなる理由について、図６を用いて説明する。
図６（ａ）、図６（ｂ）に示すように、搬送部材８が回転して、回収ブレード先端部１４ａが、搬送部材８の角部に到達するまでは、回収ブレード先端部１４ａが、搬送部材８の面を摺動して、搬送部材８に付着した廃トナーを良好に掻き取ることができる。図６（ｂ）の状態から搬送部材がさらに回転すると、図６（ｃ）に示すように、搬送部材８の角部が、回収ブレード表面を移動し、回収ブレード先端部１４ａが搬送部材８から離間する。そして、搬送部材８がさらに回転して、図６（ａ）の状態となると、回収ブレード先端部１４ａが再び搬送部材の辺と当接する。
【００２５】
図６では、図６（ａ）に示す状態のとき、回収ブレード先端部１４ａが辺の中央部に当接する構成であるため、回収ブレード先端部１４ａで搬送部材８に付着した廃トナーを掻き取れる領域は、図６（ａ）に示す辺の中央部から回転上流側の端部となり、回転下流側の端部から辺の中央部までは、回収ブレード１４は、図６（ｃ）に示すように、搬送部材８の角部で持上げられた状態となり、回収ブレード先端部１４ａにより掻き取られることはない。よって、図５（ａ）に示すように、回転下流側の端部から辺の中央部までの領域に付着廃トナー１８が生じるのである。また、図５（ｂ）に示すように、回収ブレード先端部１４ａの搬送部材８との接触箇所が中央部よりも回転上流側にあるときは、回収ブレード先端部１４ａの搬送部材８との接触箇所よりも搬送部材の回転下流側の付着廃トナーは、回収ブレード先端部１４ａにより除去されない。これにより、付着廃トナー１８が、図５（ａ）の構成よりも多くなるである。
【００２６】
次に、搬送部材による廃トナーの搬送量が少なくなると、廃トナーの収容量が減少する理由について、図７を用いて説明する。
クリーニングブレード７の感光体と当接する箇所は、重力方向下の位置に位置する事が多い。また、クリーニングブレード７の感光体１との当接箇所よりもさらに下方には、転写部５が配置されており、クリーニング装置の真下に記録紙が搬送される搬送経路が配置される。このため、クリーニングブレード７の下方に配置される搬送部材８よりも下方には、ほとんど空間がない（図１参照）。よって、廃トナー収容器１０は、搬送部材８の上方に空間を設けることとなる。このため、廃トナー収容器内に廃トナーが溜まってくると、搬送部材８は、図７（ａ）の矢印Ａに示すように、廃トナー収容器内の廃トナーを、搬送部材８の辺で容器内部へ押し退けて、廃トナー収容器内の空き空間の上方へと廃トナー全体を移動させることで、空間Ｓ２を形成する。また、搬送部材８に付着した廃トナーを回収ブレード１４ａで掻き落とすことで、空間Ｓ１を形成する。搬送部材８と感光体１の間に落下したクリーニングブレード７によって掻き落とされたトナーＸを、搬送部材８の廃トナーを押し退けた辺よりも回転上流側の辺で、空間Ｓ２へ搬送することで、廃トナー収容器１０内に廃トナーを搬送することになる。
【００２７】
また、廃トナー収容器１０内に廃トナーが溜まってくると、溜まった廃トナーの圧力により廃トナー収容器１０の開口部から廃トナー１５が流出しようとする。このため、図７（ｂ）の矢印Ｂに示すように、搬送部材８により廃トナーを押し退けて形成された空間Ｓ２に収容容器内の廃トナーが流れ込んで空間Ｓ２を埋めようとする。廃トナー収容器内の廃トナー量が多くなるにつれ、開口部から流出しようとする廃トナーの勢いが強くなり、空間Ｓ２に流れ込んでくる廃トナー量（単位時間当たりの廃トナー量）が徐々に多くなる。そして、最終的には、搬送部材８の辺で廃トナーを押し退けて空間Ｓ２が形成されたとしてもその空間Ｓ２に流れて込んできた廃トナーによりクリーニングブレード７により掻き落とされた廃トナーＸが、押し出されてしまい、廃トナー収容器１０へ搬送できなくなってしまう。その結果、クリーニングブレード７によって掻き落とされた廃トナーが、感光体１２と搬送部材８との間の領域に溜まっていく。そして、感光体１２と搬送部材８との間の領域に溜まった廃トナーが感光体と接触して感光体１２に再付着し、クリーニングブレード７をすり抜ける現象が発生する。
【００２８】
さらに感光体１と搬送部材８との間の領域に廃トナーが溜まると、クリーニングブレード７のエッジで堰き止める廃トナー量が多くなり、クリーニングブレードで堰き止めることができなくなり、廃トナーがまとまってクリーニングブレード７と感光体１の間からすり抜ける現象が発生する。
【００２９】
廃トナーのすり抜けが発生すると、すり抜けた廃トナーが帯電ローラ９に付着して帯電ローラ９を汚してしまう。帯電ローラ９が汚れると、感光体表面を一様に所定電圧に帯電させることができなくなり、画像が白くなる現象が発生してしまう。また、すり抜けた廃トナーが感光体１の回転とともに転写部５まで移動し、画像に転写されて画像に黒ポチが出るなどの現象が発生する。このように、廃トナーのすり抜けは、画像不良の要因となる。
【００３０】
搬送部材８の廃トナーの搬送量が少ないと、廃トナー収容器内のトナーを押し退ける量が少なくなくなり、その結果、廃トナー収容器内のトナーを押し退けて形成された空間Ｓ２に流れ込む廃トナーの勢いを十分に低下させることができず、空間Ｓ２に勢いよく廃トナーが流れ込んでくる。その結果、早期に（廃トナー収容器内の廃トナー量が少ない段階で）、空間Ｓ２に流れ込んできた廃トナーによって、クリーニングブレードにより掻き落とされた廃トナーＸが押し出され、掻き落とされた廃トナーＸを、廃トナー収容器へ搬送することができなくなる。よって、トナー搬送量の少ない先の図５（ｂ）の構成は、先の図５（ａ）に比べて、廃トナーの収容量が減少するのである。
【００３１】
通常、回収ブレード１４の材料は弾性フィルム（例えばＰＥＴ（ポリエチレンテレフタラート）シートなど）を用いる事が一般的である。しかし、ＰＥＴシートのような弾性フィルムの材料自体の特徴として、湾曲させて加圧状態とすると少しずつ塑性変形（クリープ変形）を起こし、当接圧が減少してしまう問題がある。
【００３２】
図８に回収ブレード１４の湾曲のクセ付きの状態と先端部の当接位置の変化を示す。
図８（ａ）に示すように、初期的には搬送部材の面の中央付近に回収ブレード１４を接触させるような位置関係にしていても、その状態で長期保管を行うと先端部１４ａの接触位置は変わらずとも接触圧が低下してしまう。また、図８（ｂ）に示すように、搬送部材８と回収ブレード１４との接触位置が、回収ブレード１４が一番湾曲するような位置で高温下で長期保管された時等は、回収ブレード１４のクセ付きが大きくなり、図８（ｃ）の実線で示すように、初期の搬送部材８の面の中央位置では接触せずに浮いてしまうような状態も発生する場合がある。その結果、図８（ｄ）に示すように示すように、回収ブレード先端部１４ａが当接する領域が狭まり、掻き取り量が減少してしまい、廃トナーの収容量が減少するという問題が発生する。
【００３３】
回収ブレード１４を、弾性フィルムなどの高分子材料よりもクリープ変形しにくい金属部材にすることで、回収ブレードのクリープ変形による廃トナー収容量の減少を防止することができる。金属部材は、曲げ強さが弾性フィルムより大きく弾性フィルムよりも機械剛性が高い。一般的なＰＥＴ部材の曲げ強さは常温で７０[Mpa]、一般的なＳＵＳの板バネの曲げ強さは常温で３９０[Mpa]であり、ＰＥＴ部材に比べて５倍以上の曲げ強さを有する。さらに、弾性フィルム材は高温環境では曲げ強さが低下することから、高温環境では、弾性フィルムはクリープ変形しやすくなるのに対し、金属部材は高温環境でも曲げ強さが低下することがないので、弾性フィルム材に比べて、さらにクリープ変形に対して優位である。しかし、金属部材は、剛性が高いため、搬送部材８に追随できるように回収ブレード１４を弾性変形させて、搬送部材８に当接させたとき、当接圧が必要以上に高くなってしまう。当接圧が高くなりすぎると、搬送部材８の表面の磨耗、搬送部材８の回転負荷の増加、回収ブレード１４が搬送部材８の回転によって各面に接触する際のはじき音等の問題が発生する。
【００３４】
このため、図９に示すように、金属部材からなる回収ブレード１４に回収ブレードを貫通する複数の貫通孔１４ｂを設け、回収ブレード１４の剛性を下げ、搬送部材８に追随できるように回収ブレード１４を弾性変形させて、搬送部材８に当接させたときの当接圧が適正となるように調整している。そして、貫通孔から廃トナー収容器１０内の廃トナーが漏れないように、貫通孔１４ｂを塞ぐ蓋部材２０を、回収ブレード１４に貼り付けている。
【００３５】
蓋部材２０の剛性が高いと、貫通孔１４ｂを設けて、回収ブレード１４の剛性を下げた効果がなくなるので、蓋部材２０は、ＰＥＴ材のような金属部材よりも剛性の低い材料を用いている。また、蓋部材２０は、両面テープなどの接着部材２４によりその周囲が回収ブレード１４に固定されており、蓋部材２０は、回収ブレード１４と一体となって変形する構成となっている。また、廃トナー収容器１０内の廃トナーが溜まっていくと、回収ブレード１４上にも廃トナーが積載されていく。このとき、蓋部材２０の厚みが薄いと、蓋部材２０に傷などがあった場合、回収ブレード１４上に積載された廃トナーの圧力で、蓋部材２０が破れてしまい、廃トナーが、廃トナー収容器１０から漏れ出すおそれがある。このため、蓋部材２０の厚みをある程度厚くして、多少、蓋部材２０に傷などがあっても、破れないようにしておく必要がある。
【００３６】
しかしながら、図９に示すような構成の場合、高温下で長期保管された時等は、ＰＥＴ材からなる蓋部材２０が塑性変形（クリープ変形）してしまう。その結果、回収ブレード１４が、蓋部材２０の変形に倣い変形してしまい、当接圧が低下したり、先の図８（ｄ）に示したように、回収ブレード先端部１４ａの搬送部材８との当接位置が廃トナー収容器側に移動したりすることになる。
【００３７】
そこで、本実施形態においては、蓋部材２０を、回収ブレード１４の貫通孔１４ｂと先端部１４ａとの間の領域にのみ固定し、蓋部材２０の貫通孔１４ｂと対向する箇所から、蓋部材２０の回収ブレード短手方向の端部までを、回収ブレード１４に対して接離可能にした。以下に、図面を用いて具体的に説明する。
【００３８】
図１０は、本実施形態の回収ブレード１４の概略構成図であり、（ａ）は、分解斜視図であり、（ｂ）は、側面図である。なお、図１０（ｂ）の一点鎖線Ｉは、回収ブレード１４の貫通孔１４ｂの形成範囲を示している。
本実施形態の回収ブレード１４は、複数の貫通孔１４ｂを有する金属部材からなっており、この貫通孔１４ｂを、弾性フィルム（例えばＰＥＴシートなど）からなる蓋部材２０で覆っている。蓋部材２０は、回収ブレード１４に設けられた貫通孔１４ｂを覆う大きさであり、回収ブレードの先端部１４ａと貫通孔１４ｂとの間の領域Ｄと対向する箇所には、両面テープなどの接着部材２４が貼り付けられている。そして、この接着部材２４により、蓋部材２０は、回収ブレード１４の搬送部材８と対向する面の逆の面、すなわち、廃トナー収容器内の廃トナーが堆積する面の上記領域Ｄに接着固定される。
【００３９】
図１１は、本実施形態の回収ブレード１４を用いたトナー搬送装置３０の動作を説明する図である。
図１１（ａ）に示すように、使用初期時においては、蓋部材２０を金属部材よりも剛性の低い弾性フィルムで構成しているため、回収ブレード１４の弾性変形に倣って蓋部材２０が容易に変形して、回収ブレード１４を所定の当接圧で当接させることができる。
【００４０】
本実施形態においては、蓋部材２０は、回収ブレード１４の先端部１４ａと貫通孔１４ｂとの間の領域Ｄのみに固定され、他を固定せずに自由にしている。蓋部材２０は、粘弾性体である高分子材料からなる弾性フィルムであるので、回収ブレード１４が図１１（ｂ）に示す状態で高温放置等され、蓋部材２０が塑性変形（クリープ変形）したとき、図１１（ｃ）に示すように、金属部材からなる回収ブレード１４は、湾曲した状態の蓋部材２０から離れ、蓋部材２０の塑性変形に倣うことなくもとの形状に戻ることができる。これにより、当接圧が低下したり、先の図８（ｄ）に示したように、回収ブレード先端部１４ａの搬送部材８との当接位置が廃トナー収容器側に移動したりすることがなくなる。
【００４１】
また、図１１（ｃ）に示すように、廃トナー収容器内の廃トナーが溜まっていき、図１１（ｅ）に示すように、回収ブレード１４上にまで廃トナーがくると、廃トナーは、蓋部材２０の上に積もっていく。
【００４２】
本実施形態においては、蓋部材２０を、回収ブレード１４の廃トナー収容器内の廃トナーが堆積する側の面である回収ブレード１４の搬送部材８と対向する面の逆の面に設けており、また、蓋部材２０は、回収ブレード１４の鉛直下方側に固定されている。よって、廃トナーは、蓋部材２０の回収ブレード１４に固定された側から積もっていく。また、廃トナーが蓋部材２０上に積もっていくと、蓋部材２０は、廃トナーの重量により、蓋部材２０は、回収ブレード１４に向かって、移動して、回収ブレード１４に密着する。そして、図１１（ｆ）に示すように、廃トナー収容器内の廃トナーがさらに溜まり、蓋部材２０全体に廃トナーが積もると、蓋部材２０は、完全に回収ブレード１４と密着する。よって、図１１（ｃ）に示すように、蓋部材２０に癖がついて、回収ブレード１４から離間した状態となっていても、廃トナー収容器内の廃トナーが、蓋部材２０と回収ブレード１４との間から漏れ出すことはなく、蓋部材２０が、完全に回収ブレード１４に固定されていなくても、蓋の機能を十分に発揮することができる。
【００４３】
次に、本実施形態の変形例について説明する。
【００４４】
［変形例１］
図１２は、変形例１における回収ブレード１４の概略構成図であり、（ａ）は、分解斜視図であり、（ｂ）は、側面図である。
先にも述べたように、蓋部材２０には廃トナーの紛圧に耐えられるようにするために、ある程度の厚みが必要である。その厚みは例えばＰＥＴ材においては０．１ｍｍ程度である。先の図１１の構成においては、蓋部材２０を直接回収ブレード１４に貼り付けている。この場合、先の図１１（ｆ）に示すように、廃トナーが溜まっていき、湾曲した蓋部材２０が回収ブレード１４に対して密着したとき、蓋部材２０の回収ブレード１４との接着箇所には、蓋部材２０の湾曲した状態を維持しようとする力により、回収ブレード１４から離間する方向に力が働く。その結果、回収ブレード１４の領域Ｄが、蓋部材２０から搬送部材８から離間する方向に力を受けてしまう。すなわち、先の図１１のように、蓋部材２０を直接接着固定する構成においては、わずかながらも回収ブレード１４は、蓋部材２０の塑性変形（クリープ変形）の影響を受けてしまい、搬送部材８との当接圧が低下するおそれがある。
【００４５】
そこで、変形例１においては、蓋部材２０よりも柔らかい材質からなるシート状またはフィルム状の貼り付け部材２１を使って、貼り付け部材２１の所定の箇所を支点にして蓋部材２０が回収ブレード１４に対して揺動可能となるように、蓋部材２０を回収ブレード１４に固定した。
【００４６】
貼り付け部材２１は、例えば材料がＰＥＴやポロエステルで厚みが５０μｍ程度のもので、一方の面には両面テープまたは粘着材が塗布された物である。貼り付け部材２１の一端側を回収ブレード１４の先端部１４ａと貫通孔１４ｂとの間の領域Ｄの先端部１４ａ側に貼り付け、貼り付け部材２１の他端側を蓋部材２０の回収ブレード１４との対向面と反対側の面に貼り付ける。このようにして、蓋部材２０を回収ブレード１４に固定することで、蓋部材２０は、貼り付け部材２１の回収ブレードの固定領域と、蓋部材２０の固定領域との間の箇所Ｇを支点にして揺動可能に回収ブレード１４に固定される。
【００４７】
図１３は、変形例１の回収ブレード１４の搬送部材８との当接状態を説明する図である。廃トナーが入っていないような新品の状態においては、回収ブレード１４が湾曲した状態のとき、蓋部材２０は、湾曲せずにほぼまっすぐの状態を保つ。これは、蓋部材２０は、回収ブレード１４に直接固定されておらず、また、貼り付け部材２１は、蓋部材２０よりも柔らかい材質である。このため、回収ブレード１４を湾曲させたとき、回収ブレード１４に固定された貼り付け部材２１は、回収ブレード１４の変形倣って弾性変形しようとし、貼り付け部材２１は、蓋部材２０を回収ブレード側へ押し付ける力が発生するが、その力よりも蓋部材２０の真直ぐな形状を維持しようとする力の方が強いため、貼り付け部材２１は、蓋部材２０の上記力により、上記Ｇを支点して、貼り付け部材２１の蓋部材との接着領域が回収ブレード１４から離間する方向へ回転する。その結果、回収ブレード１４が湾曲しても、蓋部材２０は、ほとんど変形することなく、ほぼまっすぐの状態を保つのである。これにより、先の図８（ｂ）に示す状態で、長期間保管されていても、蓋部材２０が、湾曲した状態に塑性変形（クリープ変形）するのを抑制することができる。また、先の図８（ｂ）に示す状態で長期間保管されると、貼り付け部材２１に塑性変形（クリープ変形）が生じるおそれがあるが、貼り付け部材２１は、蓋部材２０よりも薄く柔らかい材料であるから、その形状維持力は蓋部材２０よりも低い。よって、貼り付け部材２１が塑性変形しても、回収ブレード１４に与える影響も小さい。従って、蓋部材２０を直接回収ブレード１４に固定する場合に比べて、搬送部材８との当接圧の低下を抑制することができる。
【００４８】
［変形例２］
図１４は、変形例２の回収ブレード１４の概略構成図であり、（ａ）は、分解斜視図であり、（ｂ）は、側面図である。
回収ブレード１４は、樹脂よりも硬度の高い金属材料で構成されており、搬送部材８は、樹脂で形成されている。よって、回収ブレード１４と搬送部材８との当接状態では、搬送部材８が、金属材料の回収ブレード１４の先端部１４ａにより削られてしまうおそれがある。そこで、この変形例２では、金属部材よりも硬度の低い貼り付け部材２１で回収ブレード先端部１４ａを覆うように構成した。
【００４９】
変形例２においては、貼り付け部材２１の一部を、回収ブレード１４の搬送部材８と対向する面に貼り付け、回収ブレード先端部１４ａで折り返す。折り返した貼り付け部材２１の部分を、回収ブレード１４の搬送部材８と対向する面と反対側の面に貼り付ける。
【００５０】
また、図１５に示すように、蓋部材２０を、回収ブレード先端部１４ａまで延ばして、貼り付け部材２１の折り返した部分の全てを、蓋部材２０に貼り付ける構成でもよい。この場合は、蓋部材２０の回収ブレード１４に対する揺動の支点Ｇが、回収ブレード先端部となる。図１４に示す構成を採用しても、図１５に示す構成を採用しても、機能的には差異はないので、組立易い構成を適宜採用すればよい。
【００５１】
このように、変形例２においては、柔軟性のあるフィルム状の貼り付け部材２１で回収ブレード１４の先端部を覆うので、搬送部材８は、柔軟性のある貼り付け部材２１と当接することになり、搬送部材８が、回収ブレード１４により削られてしまうのを抑制することができる。また、貼り付け部材２１を用いることで、上述した変形例１の効果も得ることができる。
【００５２】
［変形例３］
図１６は、変形例３の回収ブレード１４の概略構成図であり、（ａ）は、斜視図であり、（ｂ）は、側面図である。
上述した変形例１、２においては、蓋部材２０は、貼り付け部材２１の蓋部材２０との接着領域の端部Ｇを支点して、回転可能な状態にある。そのため、例えば画像形成装置を輸送中に搬送部材８の回転方向とは、逆方向に回転させたり、傾けたりすると、蓋部材２０は端部支点から約１８０度回転して裏返しになる場合がある。蓋部材２０が、裏返しになった状態で動作すると、回収ブレード１４の貫通孔１４ｂから廃トナー収容器内のトナーが漏れ出てしまう。
【００５３】
そこで、変形例３においては、図１６に示すように、廃トナー収容器１０の内部に蓋部材２０が貼り付け部材２１の所定箇所Ｇを支点として所定量以上回動するのを規制する凸形状の回動規制部材としてのストッパ２２を設けた。ストッパ２２の位置は、蓋部材の２０回転支点Ｇを通る垂線Ｈよりも、回収ブレード１４側に蓋部材２０と当接する箇所があるようにする。これにより、画像形成装置を搬送部材８の回転方向とは、逆方向に回転させたり、傾けたりして、蓋部材２０が裏返しになろうとした時に、蓋部材２０は、ストッパ２２に突き当たり、回動が規制される。これにより、蓋部材２０が裏返しになるのを防止することができる。また、ストッパ２２の位置は、蓋部材２０の回転支点Ｇを通る垂線Ｈよりも、回収ブレード側に当接箇所があるので、ストッパ２２に突き当った蓋部材２０は、画像形成装置使用時には、自重で回収ブレード側へ倒れて回収ブレード１４の貫通孔１４ｂを塞ぐことができる。
【００５４】
［変形例４］
図１７は、変形例４の回収ブレードの概略構成図でり、（ａ）は、分解斜視図であり、（ｂ）は、側面図である。
この変形例においては、回収ブレード１４と蓋部材２０との間に、例えばスポンジ状の弾性部材からなる密閉部材２３を設けて、回収ブレード１４の貫通孔１４ｂの周りを囲むように配置したものである。上述したように、湾曲した回収ブレード１４に対して、蓋部材２０は廃トナーの紛圧によって密着する。密閉部材２３を設けることで、廃トナーの紛圧によって蓋部材２０が湾曲した回収ブレード１４に対して密着したときの密着度を上げることができる。これにより、貫通孔１４ｂから廃トナーが漏れ出すのを良好に抑制することができる。
【００５５】
以上に説明したものは一例であり、本発明は、次の（１）〜（１６）態様毎に特有の効果を奏する。
（１）
回転によりトナーを、廃トナー収容器１０などのトナー収容器へ搬送する断面非円形の搬送部材８と、上記搬送部材８に所定の当接圧で当接して上記搬送部材８に付着したトナーを掻き落とす金属部材で構成された板状の回収ブレード１４などの回収部材とを備えたトナー搬送装置において、回収部材の先端部から離間した箇所に回収部材を貫通する貫通孔１４ｂを有し、回収部材がトナー収容器内のトナーから圧力を受ける側の面から貫通孔１４ｂを覆う蓋部材２０を設け、回収部材長手方向から見たとき、少なくとも、上記蓋部材の回収部材短手方向一端から貫通孔１４ｂと対向する領域までを、回収部材に対して接離可能にした。
かかる構成とすることで、実施形態で説明したように、蓋部材２０がクリープ変形して、湾曲した状態に塑性変形したととしても、回収部材は、蓋部材２０の湾曲状態に倣うことなく、自身の弾性変形で湾曲する。これにより、搬送部材８との当接圧の低下を抑制することができ、良好な掻き取り性能を維持することができる。その結果、搬送部材８のトナー搬送量の低下を抑制することができる。
また、蓋部材２０と回収部材の貫通孔１４ｂとの間に隙間ができても、トナー収容器に貫通孔１４ｂから漏れ出す程度にトナーが溜まったとき、トナー収容器のトナーは、蓋部材２０に当接し、蓋部材２０にトナー収容器内のトナーの圧力がかかる。その結果、蓋部材２０は、トナー収容器内の圧力により、回収部材側に押されて、回収部材に密着する。これにより、トナー収容器内のトナーが、回収部材の貫通孔１４ｂから漏れることが、ほとんどない。
【００５６】
（２）
また、上記（１）に記載の態様のトナー搬送装置において、上記蓋部材２０を、弾性フィルムにした。
かかる構成とすることで、蓋部材２０の剛性を回収部材よりも弱めることができ、上記蓋部材を弾性体とすることで、蓋部材２０にトナー収容器内のトナーの圧力がかかったとき、湾曲した回収部材に倣って蓋部材が弾性変形し、蓋部材を回収部材に密着させることができる。
【００５７】
（３）
また、上記（１）または（２）に記載の態様のトナー搬送装置において、上記蓋部材２０を、上記回収部材の上記トナー収容器内のトナーから圧力を受ける側の面の貫通孔１４ｂと先端部１４ａとの間の領域Ｄに固定した。
かかる構成を備えることで、簡単な構成で、蓋部材２０を回収部材に固定することができる。
【００５８】
（４）
また、上記（１）または（２）に記載のトナー搬送装置において、上記蓋部材２０は、上記蓋部材２０よりも薄く柔らかい材質のフィルム状の貼り付け部材２１にて上記回収部材に固定するものであって、上記貼り付け部材２１は、該貼り付け部材２１の所定の箇所Ｇを支点にして上記蓋部材２０が上記回収部材に対して回動可能となるように、上記蓋部材２０を上記回収部材に固定する。
かかる構成とすることで、変形例１で説明したように、蓋部材２０が、上記回収部材とともに弾性変形するのを抑制することができ、蓋部材２０がクリープ変形するのを抑制することができる。
【００５９】
（５）
また、上記（４）に記載のトナー搬送装置において、上記貼り付け部材２１で、上記回収部材の先端部１４ａを覆った。
かかる構成を備えることで、変形例２で説明したように、搬送部材８の磨耗を抑制することができる。また、貼り付け部材２１と、回収部材を覆う部材とを別々に設ける場合に比べて、部品点数を削減することができ、組み立て工数を削減することができる。
【００６０】
（６）
また、上記（４）または（５）に記載の態様のトナー搬送装置において、上記蓋部材２０が、所定量以上回動するのを規制するストッパ２２などの回動規制部材を設けた。
かかる構成を備えることで、変形例３で説明したように、蓋部材２０が、裏返しになるのを防止することができる。
【００６１】
（７）
また、上記（１）乃至（６）いずれかに記載のトナー搬送装置において、上記蓋部材２０が、上記蓋部材２０よりも柔らかい材質の密閉部材２３などの弾性部材を介して回収部材に当接するよう構成した。
かかる構成とすることで、変形例４で説明したように、蓋部材２０にトナー収容器内のトナーの圧力がかかって蓋部材が回収部材に密着したときの密着性を高めることができる。これにより、貫通孔１４ｂからのトナー漏れ出しを良好に抑制することができる。
【００６２】
（８）
また、感光体１などの像担持体上の転写残トナーを掻き落とすクリーニングブレード７などのクリーニング部材と、クリーニング部材により掻き落とされたトナーを、廃トナー収容器１０へ搬送するトナー搬送手段とを備えたクリーニング装置６において、上記トナー搬送手段として、上記（１）乃至（７）いずれかに記載の態様のトナー搬送装置を用いた。
かかる構成を備えることで、クリーニング部材により掻き落とされた廃トナーを良好に廃トナー収容器１０へ搬送することができ、掻き取った廃トナーが像担持体に再付着し、クリーニング部材をすり抜けて、クリーニング不良となるのを抑制することができる。
【００６３】
（９）
また、感光体１などの像担持体上に形成した画像を最終的に記録紙１２などの記録体に転移させる画像形成装置において、上記像担持体上に付着した不要な付着物を除去するためのクリーニング手段として、上記（８）に記載の態様のクリーニング装置を用いる。
かかる構成を備えることで、クリーニング不良を抑制することができ、廃トナーが帯電装置に付着したり、記録体に付着したりして、画像不良となるのを抑制することができる。
【００６４】
（１０）
感光体１などの像担持体上に形成した画像を最終的に記録紙１２などの記録体に転移させる画像形成装置の本体に着脱自在に構成され、上記像担持体に付着した不要な付着物を除去するクリーニング手段と、像担持体とを一体に支持したプロセスカートリッジにおいて、上記クリーニング手段として、上記（８）に記載の態様のクリーニング装置を用いた。
かかる構成を備えることで、クリーニング不良を抑制することができ、廃トナーが帯電装置に付着したり、記録体に付着したりして、画像不良となるのを抑制することができる。
【符号の説明】
【００６５】
１：感光体
２：現像装置
３：現像ローラ
５：転写部
６：クリーニング装置
７：クリーニングブレード
８：搬送部材
９：帯電ローラ
１０：廃トナー収容器
１２：記録紙
１４：回収ブレード
１４ａ：先端部
１４ｂ：貫通孔
１５：廃トナー
２０：蓋部材
２１：貼り付け部材
２２：ストッパ
２３：密閉部材
２４：接着部材
３０：トナー搬送装置
【先行技術文献】
【特許文献】
【００６６】
【特許文献１】特許第２５１６６１９号公報
【特許文献２】特許第３１６２７９８号公報
【特許文献３】特開平１１−１４３３２３号公報
【図１】
0005888592.tif 000002
【図２】
0005888592.tif 000003
【図３】
0005888592.tif 000004
【図４】
0005888592.tif 000005
【図５】
0005888592.tif 000006
【図６】
0005888592.tif 000007
【図７】
0005888592.tif 000008
【図８】
0005888592.tif 000009
【図９】
0005888592.tif 000010
【図１０】
0005888592.tif 000011
【図１１】
0005888592.tif 000012
【図１２】
0005888592.tif 000013
【図１３】
0005888592.tif 000014
【図１４】
0005888592.tif 000015
【図１５】
0005888592.tif 000016
【図１６】
0005888592.tif 000017
【図１７】
0005888592.tif 000018